(57)【要約】  ゴルフのショットおよびパットの練習用補助具であって、ショット用モジュール、短距離パット用モジュール、および長距離パット用モジュールを備える。ショット用モジュールは、一端において支持面（５０）に枢動可能に固定され、他端にショット用ハンドル（２２）が設けられている伸縮円筒からなるシャフト（１２）を含む。すべての円筒の伸縮の速度は、円筒間の空気の流れを制限するフェルト片（８４）によって制御される。スイングの方向は、円筒を支持面およびハンドルへと接続している枢支ジョイント（２０）によって制御される。短距離パット用モジュールは、ユーザのパター（１１２）へと取り付けられる伸縮円筒シャフトを含む。使用時、短距離パット用モジュールは、パターを取り付けることができる弓形のガイドを含み、ユーザに長いパットのための適切な弓形のストロークを使用するように要求する。
2008541845.tif 000002
【特許請求の範囲】
【請求項１】
ショット用モジュールと、短距離パット用モジュールと、長距離パット用モジュールとを有するゴルフスイング練習装置であって、
ショット用モジュールが、
ユーザを補助してゴルフクラブを適切に把持させるように構成され、取り付けピンによって少なくとも１つの着脱可能なおもりへと接続される第１の端部と、枢支ジョイントを有する第２の端部とを有する円筒形のハンドル、
上端において枢支ジョイントへと取り付けられ、下端においてＵ字形のブラケットへと枢動可能に取り付けられる長手シャフトであって、複数の中空円筒部を互いに対して伸び縮みのスライド運動を行うように長手方向に伸縮可能に取り付けて有し、それぞれの円筒部が上端および下端ならびに中空の内部を有し、それぞれの円筒部の下端が隣の円筒部の上端へと密に嵌り込むように構成され、円筒部のそれぞれの下端が円筒部の中空の内部へと挿入された円筒形の栓を有し、最も下方の円筒部が長手シャフトの下端を形成し、最も下方の円筒部を除く円筒部がそれぞれ円筒部の下部外周を巡るフェルト片を有し、最も上方の円筒部を除く円筒部のそれぞれが円筒部の上部内周を巡るフェルト片を有し、フェルト片が長手シャフトが伸縮可能に伸び縮みするときに円筒部へと出入りする空気の流れを制限するように設計されている長手シャフト、
最も下方の円筒部の栓へと取り付けられ、円筒部の栓のそれぞれを貫いて延び、最も上方の円筒部の栓へとつながっているナイロンひも、および
第１および第２の枢支点を有するＵ字形のブラケットであって、第１の枢支点が容易に取り外すことができるピンによって取り付けハウジングへと着脱可能に取り付けられ、取り付けハウジングが、背板によって互いに接続されるとともに底部取り付けフィンへと延伸している２つの対置された平行な横板を有し、横板のそれぞれが複数の取り付け穴を含み、長手シャフトを複数の所定の角度位置にて取り付けハウジングに固定できるように、横板の取り付け穴へと第２の枢支点を取り付けることができるＵ字形のブラケット
を備え、
短距離パット用モジュールが、
固定筒と、近位端および遠位端を有する可動筒とを有し、可動筒の近位端が固定筒へと挿入されている伸縮アセンブリ、
遠位端へと取り付けられ、パターを遠位端に着脱可能に接続することができるように構成されているストラップ、
空気流の制御、摩擦の付与、固定筒の内側の可動筒の安定化、または騒音の低減のため、可動筒および固定筒の少なくとも一方に取り付けられたフェルト片、および
パットされたボールを受け取り、ボールをユーザの近くへと戻すためのボール戻しくさび
を備え、ユーザが真っ直ぐな水平経路に沿って可動筒を固定筒へと横方向に出し入れすることによって、短距離のパットのストロークを練習し、
長距離パット用モジュールが、
おおむね弓形のガイド、および
ガイドへと可動に取り付けられるとともに、パターを接続するための手段を有するベアリングアセンブリ
を備える、ゴルフスイング練習装置。
【請求項２】
枢支ジョイントが、ただ１つの平面内においてのみ円筒形のハンドルと長手シャフトとの間の枢動を許容する、請求項１に記載の装置。
【請求項３】
底部取り付けフィンへと取り付けられるように構成され、ショット用モジュールを使用するときにユーザが立つことができる台座
をさらに備える、請求項１に記載の装置。
【請求項４】
ショット用モジュールのＵ字形のブラケットを着脱可能に取り付けることができるストラップをさらに備え、ストラップがゴルフバッグに取り付けられるように構成されている、請求項１に記載の装置。
【請求項５】
ゴルフカートへと取り付けられるように構成され、Ｕ字形のブラケットを取り付けることができるゴルフカート用取り付け具をさらに備える、請求項１に記載の装置。
【請求項６】
短距離パット用モジュールが、第１の垂直板および第２の垂直板を有するＵ字形の台座をさらに備え、伸縮アセンブリの一端が第１の垂直板へと水平に取り付けられるとともに、伸縮アセンブリの他端が第２の垂直板の通路を水平に通過して延びることで、２つの垂直板が、短距離パット用モジュールが使用されるときに伸縮アセンブリをおおむね真っ直ぐな水平の整列に保つように機能する、請求項１に記載の装置。
【請求項７】
短距離パット用モジュールが、第１のばねおよび第２のばねをさらに備え、両方のばねが、パッティング表面へと着脱可能に挿入されるように構成され、ばねが、短距離パット用モジュールが使用されるときにユーザによって伸縮アセンブリをおおむね真っ直ぐな水平の整列へとパッティング表面上で水平に整列させることができるようにするための受容部を有する、請求項１に記載の装置。
【請求項８】
長距離パット用モジュールが、一端部に位置する第１の支柱と第２の端部に位置する第２の支柱とを有するスタンドをさらに備え、第１の支柱と第２の支柱との間におおむね弓形のガイドを取り付けることができる、請求項１に記載の装置。
【請求項９】
第１の端部と、枢支ジョイントを含む第２の端部とを有する円筒形のハンドル、
上端において枢支ジョイントに取り付けられ、下端においてブラケットへと枢動可能に取り付けられるシャフトであって、互いに対して伸び縮みのスライド運動が可能であるように伸縮可能に取り付けられた複数の中空円筒を備え、それぞれの円筒が上端および下端ならびに中空の内部を有し、それぞれの円筒の下端が隣の円筒の上端へと密に嵌り込むように構成され、円筒のそれぞれの下端が円筒の中空の内部へと挿入された円筒形の栓を有し、最も下方の円筒がシャフトの下端を形成し、最も下方の円筒を除く円筒がそれぞれ円筒の下部外周を巡るフェルト片を有し、最も上方の円筒を除く円筒のそれぞれが円筒の上部内周を巡るフェルト片を有するシャフト、および
第１および第２の枢支点を有するブラケット
を備える、ゴルフ用ショット練習装置。
【請求項１０】
ハンドルの第１の端部に位置し、少なくとも１つの着脱可能なおもりをハンドルへと取り付けできるようにする取り付けピンをさらに備える、請求項９に記載の装置。
【請求項１１】
最も下方の円筒の栓へと取り付けられ、円筒の栓のそれぞれを貫いて延び、最も上方の円筒の栓へとつながっているナイロンひも
をさらに備える、請求項９に記載の装置。
【請求項１２】
ブラケットの第１の枢支点が、取り付けハウジングへと着脱可能に取り付けられ、取り付けハウジングが、複数の取り付け穴を含む２つの横板を平行に対置させて有し、シャフトを複数の所定の角度位置にて取り付けハウジングに取り付けることができるように、横板の取り付け穴へとブラケットの第２の枢支点を取り付けることができる、請求項９に記載の装置。
【請求項１３】
ブラケットへと接続されるように構成され、ショット用モジュールを使用するときにユーザが立つことができる台座
をさらに備える、請求項９に記載の装置。
【請求項１４】
ブラケットを着脱可能に取り付けることができるストラップをさらに備え、ストラップがゴルフバッグに取り付けられるように構成されている、請求項９に記載の装置。
【請求項１５】
ゴルフカートへと取り付けられるように構成され、ブラケットを取り付けることができるゴルフカート用取り付け具をさらに備える、請求項９に記載の装置。
【請求項１６】
枢支ジョイントが、ただ１つの平面内においてのみ円筒形のハンドルと長手シャフトとの間の枢動を許容する、請求項９に記載の装置。
【請求項１７】
固定筒と、近位端および遠位端を有する可動筒とを備え、可動筒の近位端が固定筒へと挿入されている伸縮アセンブリ、
遠位端へと取り付けられ、パターを遠位端に着脱可能に接続することができるように構成されているストラップ、および
可動筒および固定筒の少なくとも一方に取り付けられたフェルト片
を備え、
ユーザが真っ直ぐな水平経路に沿って可動筒を固定筒へと横方向に出し入れすることによって、短距離のパットのストロークを練習するゴルフ用パット練習装置。
【請求項１８】
第１の垂直板と第２の垂直板とを有する台座をさらに備え、伸縮アセンブリの一端が第１の垂直板へと水平に取り付けられるとともに、伸縮アセンブリの他端が第２の垂直板の通路を水平に通過して延び、ユーザが伸縮アセンブリをおおむね真っ直ぐな水平の整列へとパッティング表面上で整列させることができる、請求項１７に記載の装置。
【請求項１９】
第１のばねおよび第２のばねをさらに備え、両方のばねが、パッティング表面へと着脱可能に挿入されるように構成され、ばねが、ユーザによって伸縮アセンブリをおおむね真っ直ぐな水平の整列へとパッティング表面上で整列させることができるようにするための受容部を有する、請求項１７に記載の装置。
【請求項２０】
第１の端部および第２の端部を有し、第２の端部が枢支ジョイントを有するハンドル、
上端において枢支ジョイントに取り付けられ、下端においてブラケットへと枢動可能に取り付けられるシャフトであって、互いに対して伸び縮みのスライド運動が可能であるように長手方向に伸縮可能に取り付けられた複数の中空の入れ子の筒を備え、それぞれの筒が上端および下端ならびに中空の内部を有し、それぞれの筒の下端が隣の筒の上端へと密に嵌り込むように構成され、最も下方の筒がシャフトの下端を形成しているシャフト、および
少なくとも１つの枢支点を有するブラケット
を備える、ゴルフ用ショット練習装置。
【請求項２１】
最も下方の筒の下端へと挿入された栓をさらに備える、請求項２０に記載の装置。
【請求項２２】
最も上方の筒の下端へと挿入された栓、および
最も下方の筒の栓へと取り付けられ、筒のそれぞれを貫いて延び、最も上方の筒の栓へとつながっているナイロンひも
をさらに備える、請求項２１に記載の装置。
【請求項２３】
最も下方の筒を除く筒のうちの１つの下部外周を巡る少なくとも１つのフェルト片をさらに備える、請求項２０に記載の装置。
【請求項２４】
最も上方の筒を除く筒のうちの１つの上部内周を巡る少なくとも１つのフェルト片をさらに備える、請求項２０に記載の装置。
【請求項２５】
最も下方の筒を除くそれぞれの筒の下部外周を巡るフェルト片、および
最も上方の筒を除くそれぞれの筒の上部内周を巡るフェルト片
をさらに備える、請求項２０に記載の装置。
【請求項２６】
枢支ジョイントが、ただ１つの平面内においてのみハンドルとシャフトとの間の枢動を許容する、請求項２０に記載の装置。
【請求項２７】
ブラケットの第１の枢支点が、２つの対置された平行な横板を背板によって互いに接続するとともに底部取り付けフィンへと延伸させて有する取り付けハウジングに着脱可能に取り付けられ、横板のそれぞれが複数の取り付け穴を含み、シャフトを複数の所定の角度位置にて取り付けハウジングに固定できるように、横板の取り付け穴へとブラケットの第２の枢支点を取り付けることができる、請求項２０に記載の装置。
【請求項２８】
ハンドルの第１の端部に位置し、少なくとも１つの着脱可能なおもりをハンドルへと取り付けできるようにする取り付けピンをさらに備える、請求項２０に記載の装置。
【請求項２９】
底部取り付けフィンへと取り付けられるように構成され、ショット用モジュールを使用するときにユーザが立つことができる台座
をさらに備える、請求項２０に記載の装置。
【請求項３０】
ブラケットを着脱可能に接続することができるストラップをさらに備え、ストラップがゴルフバッグに取り付けられるように構成されている、請求項２０に記載の装置。
【請求項３１】
ゴルフカートへと取り付けられるように構成され、ブラケットを着脱可能に接続取り付けすることができるゴルフカート用取り付け具をさらに備える、請求項２０に記載の装置。
【請求項３２】
固定筒と、近位端および遠位端を有する可動筒とを備え、可動筒の近位端が固定筒へと挿入されている伸縮アセンブリ、および
遠位端へと取り付けられ、パターを遠位端に着脱可能に接続することができるように構成されているストラップ
を備え、
伸縮アセンブリによってユーザが、可動筒を固定筒へと横方向に出し入れすることによって短距離のパットのストロークを練習できるゴルフ用パット練習装置。
【請求項３３】
可動筒および固定筒の少なくとも一方に取り付けられたフェルト片
をさらに備える、請求項３２に記載の装置。
【請求項３４】
可動筒の近位端の外周に取り付けられたフェルト片、および固定筒の内周に取り付けられたフェルト片をさらに備える、請求項３２に記載の装置。
【請求項３５】
第１のばねおよび第２のばねをさらに備え、両方のばねが、パッティング表面へと着脱可能に挿入されるように適用され、ばねが、ユーザによって伸縮アセンブリをおおむね真っ直ぐな水平の整列へとパッティング表面上で整列させることができるようにするための受容部を有する、請求項３２に記載の装置。
【請求項３６】
伸縮アセンブリの第１の端部が取り付けられる台座をさらに備え、台座が、伸縮アセンブリをユーザによってパットのストロークの練習に使用されるときにおおむね水平な整列に維持するように機能すべく構成されている、請求項３２に記載の装置。
【請求項３７】
おおむね弓形のガイド、および
ガイドへと可動に接続されるとともに、パターを接続するための手段を有するベアリングアセンブリ
を備えるゴルフ用パット練習装置。
【請求項３８】
一端部に位置する第１の支柱と第２の端部に位置する第２の支柱とを有するスタンドをさらに備え、第１の支柱と第２の支柱との間におおむね弓形のガイドを取り付けることができる、請求項３７に記載の装置。
【発明の詳細な説明】
【技術分野】
【０００１】
本出願は、２００５年５月２５日に出願された「Ｇｏｌｆ  Ｔｒａｉｎｉｎｇ  Ａｉｄ」という名称の米国特許仮出願第６０／６８４，６４３号明細書にもとづく優先権を主張する。
【０００２】
本発明は、フォーム、速さ、およびプレースメントという効果的なスイングの３つの構成要素を磨くことによってゴルファーのスイングを作り上げるゴルフ練習装置に関する。効果的なゴルフのスイングは、これら３つの要素の不断の練習および鍛錬を必要とする。本発明の装置は、種々のゴルフのスイングのさまざまな態様を練習するために、屋内または屋外で使用することが可能であり、ゴルファーが、習慣的な練習の枠組みを通じて技能の維持または向上をはかることができるようにする。
【背景技術】
【０００３】
ゴルフのスイングを練習するために、Ｓｕｍｅｇｉの米国特許第３，０８３，０１６号明細書、Ｓｔｒａｈａｎの米国特許第３，３５１，３４６号明細書、Ｂｉｓｈｏｐの米国特許第３，９９９，７６５号明細書、およびＫａｎｅらの米国特許第４，４８６，０２０号明細書に開示の装置など、多数の装置が発明されてきている。これらの発明は、ゴルフのスイングの練習を可能にしてはいるが、Ｎｅｌｓｏｎの米国特許第５，００５，８３６号明細書に開示の発明の適合性、柔軟性、および使用の容易さを欠いている。
【０００４】
このＮｅｌｓｏｎ特許は、従来の練習装置に対して顕著な改善を構成しているが、その設計が過剰に複雑であり、細かく調節された案内を欠いている。柔軟性および使用の容易さを兼ね備える高度なフォーム矯正は、従来の特許のいずれにも教示または示唆されていない。
【発明の開示】
【発明が解決しようとする課題】
【０００５】
本発明は、ゴルフのショットおよびパットにおけるフォームおよびプレースメントを矯正するゴルフスイング練習装置を提供する。さらに本発明は、コース上およびコース外で使用するためのゴルフのショットおよびパットの練習器および練習用補助具を提供する。本発明の装置は、ゴルファーのスイングの強化、ならびにスイングの際のタイミング、リズム、およびクラブの位置の改善に役立つ。
【課題を解決するための手段】
【０００６】
本発明は、多数の環境における使用を可能にする複数のモジュールを含む。本発明のショット用モジュールは、一端において支持面へと枢動可能に固定され、他端においてハンドルへと枢動可能に固定される一連の伸縮円筒を含む。伸縮円筒は、バックスイングの位置へと斜めの縦方向に引き伸ばされる。ダウンスイングの際、円筒は、ゴルファーがクラブを用いた通常のゴルフのスイングにおいて経験する「感触」をもたらすために、制御された量の抵抗を伴いながら縮んでいく。円筒とショット用ハンドルとの間のジョイントならびに収縮する案内棒の設計が、ゴルフのスイングを最適化されたスイングのパターンへとおおむね規制する。
【０００７】
相互作用および２つの枢支点を含む円筒の設計が、スイングの全体にわたってゴルファーを正しいスイング面内に案内する。装置の相対的な不撓性ゆえ、不適当なゴルフのスイングは、不可能ではないかもしれないが困難である。したがって、装置による繰り返しの練習が、正しい筋肉の記憶を確立し、不適当なゴルフのスイングの癖を抑えるうえで役に立つ。本発明の一実施形態は、ゴルフバッグへと取り付けできるストラップを含み、したがってゴルファーが装置を、コース上での練習用補助具として使用することができる。
【０００８】
本発明の短距離パット用モジュールは、短いパットの状況において必要とされる真っ直ぐなストロークをゴルファーにとって練習可能にする水平な伸縮筒を含む。本発明の長距離パット用モジュールは、より長いパットの状況において必要とされるわずかに湾曲したストロークをゴルファーにとって練習可能にする湾曲した案内筒を追加している。このように、本発明は、ゴルフの競技に必要な一般的な種類のスイングのそれぞれのための練習モジュールを提供する。
【０００９】
本発明の他の特徴および利点が、以下の詳細な説明に提示され、添付の図面との関連において理解される本発明の特定の実施形態を参照することによって、明らかになる。
【発明を実施するための最良の形態】
【００１０】
本発明は、ショット用モジュール１０と、長距離パット用モジュールと、短距離パット用モジュールと、を有するゴルフ練習用補助具を含む。図面に描かれ、特には図２に示されているように、本発明のショット用モジュール１０は、入れ子状に伸縮する一連の円筒によって形成された長手シャフト１２を有する。図２に示した実施形態においては、軸１２は、比較的大きな直径を有する第１の円筒１４と、それぞれ直径が小さくなっている第２、第３、および第４の中間円筒１５、１６、および１７と、最も小さい直径の第５の円筒１８と、を有する。
【００１１】
本発明の一実施形態によれば、最大の円筒１４が、１インチの直径を有し、最小の円筒１８が、２分の１インチの直径を有する。その他の円筒は、それぞれ８分の１ずつ減少する直径を有し、したがって、２番目の中間円筒１５については、直径が８分の７インチであり、３番目の中間円筒１６については、直径が４分の３インチであり、４番目の中間円筒１７については、直径が８分の５インチである。円筒は、最終製品について望まれる品質に応じて、チタニウム合金またはプラスチックなど、幾多の材料で制作することが可能である。本発明の一実施形態によれば、円筒が、それぞれの全長にわたって一貫して０．０３５インチの肉厚を有する６０６１−Ｔ６の焼き戻しアルミニウム管で制作されている。
【００１２】
５番目の円筒１８の上端が、枢動ジョイント２０によってハンドル２２へと取り付けられ、ハンドル２２は、ゴルフクラブを適切に把持するようにユーザを補助する形状を有する。枢支ジョイント２０が、ハンドル２２を、長手シャフト１２に対して限られたスイングの運動平面においてのみ移動可能にしている。このようにして、枢支ジョイント２０が、モジュールの使用時にユーザをこの運動平面に従わせ、この面から外れる方向の手または手首の回転をおおむね防止する。
【００１３】
ハンドル２２は、直径２分の１インチの焼き戻しアルミニウムで制作されている。図２および８に示されているように、ハンドル２２において枢支ジョイント２０と反対側の端部には、１つ以上の着脱式のおもり２６が取り付けられている。図示の実施形態においては、おもり取り付けピン２８がおもり２６を保持しているが、この当分野において知られているとおり、クリップ式、バヨネット式、または他のマウントなど、他の取り付けも使用可能である。ハンドル２２へとおもりを加えることで、枢支ジョイント２０の効果が増幅されることによってスイング平面の広がりが徐々に制限される。なぜならば、重量を増やしていくと、ゴルファーを適切なスイング平面からの逸脱に関してより段階的に制限することになるからである。さらに、重量を増すことによって、スイングの際にゴルファーへともたらされる物理的なフィードバックが大きくなる。
【００１４】
図３に示されているように、１番目の円筒１４の下端は、Ｕ字形のブラケット３０へと枢動可能に取り付けられている。容易に着脱することができるピン３２が、Ｕ字形のブラケット３０を第１の枢支点３６において取り付けハウジング３４へと取り付けている。取り付けハウジング３４は、複数の穴３８を有し、これらの穴３８へと、Ｕ字形のブラケット３０の第２の枢支点４０を取り付けることができる。
【００１５】
第２の枢支点４０を取り付けるために複数の穴３８を取り入れることで、長手シャフト１２を複数の所定の角度位置にて取り付けハウジング３４へと取り付けることができる。したがって、このショット用モジュールによって、複数の別個の運動平面に沿ったスイングを可能にでき、種々の身長、四肢の割合、および立ち幅のユーザに対応することができる。
【００１６】
図１５から図２１に描かれているように、取り付けハウジング３４およびＵ字形のブラケット３０が枢支ジョイント２０とともに、長手シャフト１２およびハンドル２２の運動を、適切なゴルフのスイングに特有の方向および平面へと規制する。ユーザ４４は、いわゆるアドレス姿勢から開始する（図１５参照）。ユーザ４４がバックスイングを開始するとき（図１６参照）、枢支ジョイント２０が、手首の位置、角度、および運動を設定する。
【００１７】
バックスイングの最上点（図１７）、ならびにダウンスイング（図１８および図１９）の全体を通じて、ショット用モジュール１０の固有の運動の規制が、ユーザの腕および体を適切な姿勢に保つ。ダウンスイングの終わりにおいて、ユーザ４４は、ゴルフクラブの面がゴルフボールに衝突する瞬間にユーザがとる姿勢（図２０）へとアドレス姿勢を通過し、さらにフォロースルー（図２１）の行程を続ける。この全体の行程において、Ｕ字形のブラケット１２および取り付けハウジング１５によって生み出される回転および運動の規制が、フォロースルーのスイングの最中においてさえも、ユーザを補助して適切なスイングのフォームを維持する。
【００１８】
本発明の一実施形態においては、取り付けハウジング３４を、図２に示されているようにショット用モジュール台座５０へと取り付けることができる。ショット用モジュール台座５０は、保管または移動のために図１に示すようにたたむことが可能であり、図２に示されているようなショット用モジュール運搬ハンドルまたはストラップ５４によって持ち運びが可能である。
【００１９】
本発明の他の実施形態においては、図５、図８、および図９に描かれているように、Ｕ字形のブラケット１２を、ゴルフバッグのストラップ６２へと固定することができるゴルフバッグ用ブラケット６０に着脱可能に取り付けることが可能である。ゴルフバッグ用ブラケット６０が、容易に着脱することができるピン３２を使用してＵ字形のブラケット１２の第２の枢支点４０をゴルフバッグ用ブラケット６０へと固定することによって、長手シャフト１２へと着脱可能に取り付けられる。このようにして、ユーザは、実際の競技の最中にスイングの練習を行うために、ショット用モジュールを自身のゴルフバッグに取り付けて、ゴルフコースへと好都合に持ち出すことができる。
【００２０】
図１４に示されているように、本発明の他の実施形態によれば、ショット用モジュール１０のＵ字形のブラケット１２を、ゴルフカートの側面に取り付けることができるゴルフカート用の取り付けアセンブリ６４へと、着脱可能に取り付けることが可能である。取り付けアセンブリ６４は、ヒンジ式のアーム７０を有する前側ブラケット板６８を含む。長手シャフト１２を、容易に着脱することができるピン３２を使用してＵ字形のブラケット３０の第２の枢支点４０をヒンジ式のアーム７０へと固定することによって、ヒンジ式のアーム７０へと着脱可能に取り付けることができる。
【００２１】
Ｕ字形のブラケット１２へと取り付けられていないとき、ヒンジ式のアーム７０を、ブラケットのヒンジ点７４によって前側ブラケット板６８に向かって、すなわちゴルフカートに向かって、上方へと回転させることができる。ボルト７６が、前側ブラケット板６８を後ろ側ブラケット板７８へと接続し、すなわちゴルフカートの側面に接続している。控えめなゴルフカート用取り付けアセンブリ６４をゴルフカートに取り付けることで、ユーザは、ゴルフコースに居りながらスイングの練習を行うことができるよう、ショット用モジュールの使用を可能にすべくショット用モジュール１０をゴルフカートへと取り付けることができる。
【００２２】
図４に示されているように、長手シャフト１２を形成している円筒１４、１５、１６、１７、および１８はそれぞれ、上端および下端ならびに中空な内部を有する。それぞれの円筒の下端は、隣接する円筒の上端へとぴったりと嵌り込んでいる。それぞれの円筒は、下端の内側に栓８０を有する。１番目の円筒１４の栓８０に、２番目の円筒１５、３番目の円筒１６、および４番目の円筒１７の栓８０を貫くナイロンひも８２の一端が取り付けられている。ナイロンひも８２の他端は、５番目の円筒１８の栓８０に取り付けられている。
【００２３】
円筒１４、１５、１６、１７、および１８の上端内側、ならびに円筒４から７の下端外側は、すべてフェルト片８４によって覆われている。フェルト片８４は、長手シャフト１２が伸び縮みするときに、円筒の間の空気の流れならびに円筒１４、１５、１６、１７、および１８のそれぞれの上部のフェルト片８４のすき間を通って円筒へと出入りする空気の流れを制御する。また、フェルト片８４は、円筒のあらゆる運動に摩擦を付与し、ユーザのゴルフのスイングを強化する抵抗を生み出す。
【００２４】
図１０に示されているように、本発明の他の実施形態は、短距離パットの技術の向上に使用される短距離パット用モジュール１００を含む。短距離パット用モジュール１００は、固定筒１０２ａと可動筒１０２ｂとを有する伸縮アセンブリ１０２を備える。好ましくは、空気流の制御、摩擦の付与、固定筒１０２ａの内側での可動筒１０２ｂの安定化、および騒音の低減のために、２つの部位の伸縮の点の内周にフェルト片８４が取り付けられる。アセンブリ１０２は、一端においてＵ字形の台座１０６の第１の垂直板１０４へと着脱可能に取り付けられ、第２の垂直板１１０の開口１０８を貫いている。
【００２５】
パター１１２を、ストラップ１１４を使用して伸縮アセンブリ１０２の他端へと取り付けることができる。短距離パット用モジュール１００によれば、ユーザは、パターを動かして、パター１１２へと取り付けられた伸縮アセンブリ１０２の端部を、真っ直ぐな水平経路にてＵ字形の台座１０６に向かい、Ｕ字形の台座１０６から離れるように伸縮させることで、ボール１１８をＵ字形の台座１０６から離れるように転がして、真っ直ぐなパットのストロークを練習することができる。ボール１１８を、ボールを受け取ってゴルファーの近くへと戻すボール戻しくさび１２０に向けることができる。
【００２６】
図１１に示されているように、本発明の他の実施形態によれば、伸縮アセンブリ１０２を、Ｕ字形の台座１０６から取り外すことが可能である。伸縮アセンブリ１０２を２つのワイヤ・フープ１２４へと取り付けることによって、ユーザは、ワイヤ・フープ１２４の下端１２６を地面へと押し込んで、短距離パット用モジュール１００を構成することができる。この実施形態によれば、ユーザは、パット練習グリーンにおいて、あるいはゴルフコースにおいてさえも、短距離パット用モジュール１００を使用することが可能である。
【００２７】
図１２に示されているように、本発明は、長距離パット用モジュール２００をさらに含む。長距離パット用モジュール２００は、スタンド２０２を含み、スタンド２０２の両端の間に弓形のガイド２０４が備えられている。図１３に示すベアリングアセンブリ２０８が、弓形のガイド２０４に可動に取り付けられ、パターを取り付けることが可能なスロット２１０を有する。弓形のガイドは、適切な長距離パットのパッティング・ストロークの弓形の経路を模擬するように設計されている。パターをガイド２４に取り付けることによって、ゴルファーは、弓形のガイドの経路に沿って、したがって長距離のパットの状況において必要とされる枢動運動からもたらされる長いパッティング・ストロークの適切な弓形の経路にしたがって、パッティング・ストロークを練習することができる。
【００２８】
本発明の他の実施形態によれば、弓形のガイド２０４をスタンド２０２から取り外すことができる。弓形のガイド２０４を２つのワイヤ・フープ１２４へと取り付けることによって、ユーザは、ワイヤ・フープ１２４の下端１２６を地面へと押し込んで、長距離パット用モジュールを構成することができる。この実施形態によれば、ユーザは、パット練習グリーンにおいて、あるいはゴルフコースにおいてさえも、長距離パット用モジュール２００を使用することが可能である。
【００２９】
本発明の特定の実施形態について説明したが、当業者であれば本発明の技術的思想および技術的範囲から離れることなく、種々の修正および変更を行うことが可能であることを、当業者であれば理解できる。
【図面の簡単な説明】
【００３０】
【図１】本発明の一実施形態によるショット用モジュールについて、箱詰めされた状態の端面図である。
【図２】本発明の一実施形態によるショット用モジュールの斜視図である。
【図３】図２のショット用モジュールの下部の拡大分解斜視図である。
【図４】図２のショット用モジュールの中間部の切断図である。
【図５】本発明の他の実施形態によるショット用モジュールの下部の拡大分解斜視図である。
【図６】本発明の一実施形態によるハウジングの斜視図である。
【図７】本発明の一実施形態による把持部おもりの斜視図である。
【図８】本発明のショット用モジュールの斜視図であり、本発明の一実施形態によるバッグ用ストラップを含む。
【図９】本発明の一実施形態にしたがってゴルフバッグへと取り付けられた本発明のショット用モジュールの斜視図である。
【図１０】本発明の一実施形態による短距離パット用モジュールの斜視図である。
【図１１】本発明の他の実施形態による短距離パット用モジュールの斜視図である。
【図１２】本発明の一実施形態による長距離パット用モジュールの斜視図である。
【図１３】本発明の長距離パット用モジュールのためのパター取り付け具の断面図である。
【図１４】本発明の他の実施形態による図２のショット用モジュールのゴルフカート用取り付け具の斜視図である。
【図１５】ショット用モジュールを使用している右利きのゴルファーの斜視図であり、アドレスの姿勢にある。
【図１６】ショット用モジュールを使用している右利きのゴルファーの斜視図であり、バックスイングの途中にある。
【図１７】ショット用モジュールを使用している右利きのゴルファーの斜視図であり、バックスイングの最上点にある。
【図１８】ショット用モジュールを使用している右利きのゴルファーの斜視図であり、ダウンスイングの始まりにある。
【図１９】ショット用モジュールを使用している右利きのゴルファーの斜視図であり、ダウンスイングの途中にある。
【図２０】ショット用モジュールを使用している右利きのゴルファーの斜視図であり、インパクトの状態にある。
【図２１】ショット用モジュールを使用している右利きのゴルファーの斜視図であり、フォロースルーの姿勢にある。
【図１】
2008541845.tif 000003
【図２】
2008541845.tif 000004
【図３】
2008541845.tif 000005
【図４】
2008541845.tif 000006
【図５】
2008541845.tif 000007
【図６】
2008541845.tif 000008
【図７】
2008541845.tif 000009
【図８】
2008541845.tif 000010
【図９】
2008541845.tif 000011
【図１０】
2008541845.tif 000012
【図１１】
2008541845.tif 000013
【図１２】
2008541845.tif 000014
【図１３】
2008541845.tif 000015
【図１４】
2008541845.tif 000016
【図１５】
2008541845.tif 000017
【図１６】
2008541845.tif 000018
【図１７】
2008541845.tif 000019
【図１８】
2008541845.tif 000020
【図１９】
2008541845.tif 000021
【図２０】
2008541845.tif 000022
【図２１】
2008541845.tif 000023
【国際調査報告】
2008541845.tif 000024